(57)【要約】【課題】観察方向に制限されることなく潜像による真偽判別を容易に行う。【解決手段】基材表面に設けられた背景色領域２１２と、背景色領域２１２とは異なる色を具備し、背景色領域２１２上にマトリックス状に設けられた複数のマーク部２１１と、背景色領域２１２の所定領域にて複数のマーク部２１１の配列方向と並行して行及び列を構成し、複数のマーク部２１１上に形成された複数の凸部２１３と、背景色領域２１２における所定領域以外の領域にて複数のマーク部２１１の配列方向と並行して行及び列を構成し、マーク部２１１間に背景色領域２１２のみを含むように形成された複数の凸部２１４とを有する。【選択図】図１
2008194835.tif 000002
【特許請求の範囲】
【請求項１】
基材表面に設けられた背景色領域と、
前記背景色領域とは異なる色を具備し、前記背景色領域上に行及び／または列を構成して設けられた複数のマーク配色領域と、
前記背景色領域の所定領域にて前記複数のマーク配色領域の配列方向と並行して行及び／または列を構成して形成された複数の第１の凸部と、
前記背景色領域における前記所定領域以外の領域にて前記複数のマーク配色領域の配列方向と並行して行及び／または列を構成して形成された複数の第２の凸部とを有し、
前記第１の凸部と前記第２の凸部のうち少なくともいずれか一方の凸部が、前記背景色領域と前記マーク配色領域のいずれか一方のみを含み、かつ、前記第１の凸部と前記第２の凸部のうち他方の凸部が、前記一方の凸部が含む領域とは異なる領域を含む偽造防止媒体。
【発明の詳細な説明】
【技術分野】
【０００１】
本発明は、偽造防止シート等の偽造防止媒体に関し、特に、潜像を用いた偽造防止構造に関する。
【背景技術】
【０００２】
従来より、プリペイドカードや各種入場券、商品券や株券等の有価証券においては、広く流通しており比較的容易に換金可能である等の理由から、偽造犯罪が頻発している。特に、近年ではカラーコピー機等の複写機の性能向上と普及に伴い、簡単には真正品と見分けられない偽造品が比較的容易に製造可能になってきており、偽造に対する対策が求められている。また、上述したような有価証券に限らず、紙幣においても偽造に対する対策が求められている。
【０００３】
このような偽造に対する対策の１つとして、潜像を用いて有価証券や紙幣の真偽判別を可能とする技術が考えられており、例えば、特許文献１に開示されている。
【０００４】
特許文献１に開示された技術は、シート基材上に、複数本の印刷万線と、この印刷万線と並列し、一部が印刷万線と直交する方向に延在し、かつ、断面が隆起したレリーフ万線とを設け、観察方向によって潜像を浮かび上がらせるものである。基材を正面から見た場合は全ての印刷万線が視認可能な状態となっている。ところが、観察方向を印刷万線及びレリーフ万線と直交する方向に変化させていくと、印刷万線のうちレリーフ万線が延在した部分がその延在したレリーフ万線の陰となって視認できなくなる一方、印刷万線のその他の部分は視認可能な状態のままとなる。これにより、レリーフ万線の形状に応じた潜像を浮かび上がらせることができる。
【０００５】
このように断面が隆起したレリーフ万線を設けたシート基材においては、複写した場合、表面に印刷された印刷万線を含む印刷情報は複写されるものの、レリーフ万線の隆起形状までは再現できない。そのため、複写物の観察方向を変化させていった場合であっても、潜像は浮かび上がらず、それにより、真偽判別を行うことが可能となる。
【特許文献１】特開２０００−３１３１６１号公報
【発明の開示】
【発明が解決しようとする課題】
【０００６】
しかしながら、上述したように、シート基材上に、複数本の印刷万線と、この印刷万線と並列し、一部が印刷万線と直交する方向に延在し、かつ、断面が隆起したレリーフ万線とを設け、この印刷万線とレリーフ万線とで潜像を浮かび上がらせるものにおいては、印刷万線及びレリーフ万線と直交する方向から観察した場合にしか潜像が浮かび上がらず、潜像による真偽判別がしやすいとは言い難い。特に、観察方向が制限されている場合、潜像による真偽判別ができなくなる虞れがある。
【０００７】
本発明は、上述したような従来の技術が有する問題点に鑑みてなされたものであって、観察方向に制限されることなく潜像による真偽判別を容易に行うことができる偽造防止媒体を提供することを目的とする。
【課題を解決するための手段】
【０００８】
上記目的を達成するために本発明は、
基材表面に設けられた背景色領域と、
前記背景色領域とは異なる色を具備し、前記背景色領域上に行及び／または列を構成して設けられた複数のマーク配色領域と、
前記背景色領域の所定領域にて前記複数のマーク配色領域の配列方向と並行して行及び／または列を構成して形成された複数の第１の凸部と、
前記背景色領域における前記所定領域以外の領域にて前記複数のマーク配色領域の配列方向と並行して行及び／または列を構成して形成された複数の第２の凸部とを有し、
前記第１の凸部と前記第２の凸部のうち少なくともいずれか一方の凸部が、前記背景色領域と前記マーク配色領域のいずれか一方のみを含み、かつ、前記第１の凸部と前記第２の凸部のうち他方の凸部が、前記一方の凸部が含む領域とは異なる領域を含む。
【０００９】
上記のように構成された本発明においては、基材を正面から観察した場合、基材表面の背景色領域上に背景色領域とは異なる色で行及び／または列を構成して設けられた複数のマーク配色領域が認識される。基材には、背景色領域の所定領域に複数の第１の凸部が形成され、また、背景色領域における所定領域以外の領域に複数の第２の凸部が形成されているが、基材を正面から観察した場合は、この凸部の凸形状における頂部側から底部側に向かって視認することになるため、行及び／または列を構成した複数のマーク配色領域が認識されるだけであり、複数の第１の凸部または第２の凸部によって形成される潜像は浮かび上がって見えてこない。この状態から観察方向を基材表面に対して鋭角をなす方向に変化させていくと、基材に形成された複数の第１の凸部と複数の第２の凸部とが認識可能となってくる。この第１の凸部と第２の凸部は、少なくともいずれか一方の凸部が、背景色領域とマーク配色領域のいずれか一方のみを含み、かつ、第１の凸部と第２の凸部のうち他方の凸部が、一方の凸部が含む領域とは異なる領域を含むものであるため、第１の凸部と第２の凸部とが、第１の凸部が含む領域の色と第２の凸部が含む領域の色とによって識別可能となる。そのため、これらの色の違いによって複数の第１の凸部または複数の第２の凸部による潜像が浮かび上がって見えるようになる。その際、第１の凸部と第２の凸部の少なくともいずれか一方が背景色領域とマーク配色領域のいずれか一方のみを含むため、第１の凸部と第２の凸部との色の違いが明確になり、潜像が認識しやすくなる。また、第１の凸部と第２の凸部は、少なくともいずれか一方の凸部が、背景色領域とマーク配色領域のいずれか一方のみを含み、かつ、第１の凸部と第２の凸部のうち他方の凸部が、一方の凸部が含む領域とは異なる領域を含むものであることから、基材表面に対して鋭角をなすどの方向から観察した場合であっても、第１の凸部と第２の凸部との色の違いによって複数の第１の凸部または複数の第２の凸部による潜像が浮かび上がって見える。
【発明の効果】
【００１０】
以上説明したように本発明においては、背景色領域上にこの背景色領域とは色が異なる複数のマーク配色領域が行及び／または列を構成して設けられ、この背景色領域の所定領域にて複数のマーク配色領域の配列方向と並行して行及び／または列を構成した複数の第１の凸部が形成されるとともに、背景色領域における所定領域以外の領域にて複数のマーク配色領域の配列方向と並行して行及び／または列を構成した複数の第２の凸部が形成され、第１の凸部と第２の凸部のうち少なくともいずれか一方の凸部が、背景色領域とマーク配色領域のいずれか一方のみを含み、かつ、第１の凸部と第２の凸部のうち他方の凸部が、一方の凸部が含む領域とは異なる領域を含む構成としたため、基材表面に対して鋭角をなすどの方向から観察した場合であっても、第１の凸部と第２の凸部との色の違いによって複数の第１の凸部または複数の第２の凸部による潜像が浮かび上がってその潜像による真偽判別を容易に行うことができる。
【発明を実施するための最良の形態】
【００１１】
以下に、本発明の実施の形態について図面を参照して説明する。
【００１２】
（第１の実施の形態）
図１は、本発明の偽造防止媒体の第１の実施の形態となる偽造防止シートを示す図であり、（ａ）は全体の構成を示す図、（ｂ）は（ａ）に示した偽造防止構造２１０の詳細な構成を示す図、（ｃ）は（ｂ）に示したＡ−Ａ’断面図、（ｄ）は（ｂ）に示したＢ−Ｂ’断面図、（ｅ）は凸部２１３の構成を示す図、（ｆ）は凸部２１４の構成を示す図である。
【００１３】
本形態の偽造防止シート２０１は図１に示すように、紙からなるシート基材２０２の一部の領域に偽造防止構造２１０が設けられて構成されている。シート基材２０２は、基材表面となる平面部２０３を有し、この平面部２０３の一部の領域に情報印刷領域２０４が設けられるとともに、他の領域に偽造防止構造２１０が設けられている。このように構成された偽造防止シート２０１は、例えば、コンサート等の入場チケットとして用いることが考えられる。その場合、コンサートの内容や会場名、座席番号等が情報印刷領域２０４に印刷されることになる。また、シート基材２０２の情報印刷領域２０４に情報が印刷される前に、シート基材２０２に対してプレ印刷として地紋を印刷したり所定の色に着色したりすることも考えられるが、その場合、偽造防止構造２１０による潜像が見にくくならないようにする必要がある。
【００１４】
図１（ｂ）に示すように、シート基材２０２に設けられた偽造防止構造２１０には、シート基材２０２の平面部２０３のベース色と同一の白色からなる背景色領域２１２上に、背景色領域２１２とは異なる黒色からなるマーク配色領域である複数のマーク部２１１が設けられている。この複数のマーク部２１１は、背景色領域２１２上に行及び列を構成して設けられることによりマトリックス状となっている。
【００１５】
複数のマーク部２１１がマトリックス状に設けられた領域には、第１の凸部となる複数の凸部２１３と、第２の凸部となる複数の凸部２１４とが形成されている。これら凸部２１３，２１４は図１（ｃ）〜（ｆ）に示すように、シート基材２０２をエンボス版等で平面部２０３側から０．０５〜０．１ｍｍ程度窪ませることにより形成されたドーム型であって、その高さは互いに同一であるものの、ドームの径は凸部２１３の径が凸部２１４の径よりも大きくなっている。
【００１６】
凸部２１３は、複数の凸部２１３の配列形状によって潜像となる「Ｔ」の字を表現するように複数のマーク部２１１の配列方向と並行して行や列を構成して背景色領域２１２の所定領域に形成されており、そのそれぞれは、マトリックス状に設けられた複数のマーク部２１１のうち、所定領域以外の領域に設けられたマーク部２１１上に形成されている。そして、その径がマーク部２１１の径よりも小さいことから、図１（ｅ）に示すように、マーク部２１１のみを含むものとなっている。凸部２１４は、背景色領域２１２にて複数の凸部２１３が形成された領域を取り囲むように、複数のマーク部２１１の配列方向と並行して行や列を構成して形成されており、そのそれぞれは、マトリックス状に設けられた４つのマーク部２１１間に形成されている。そして、その径が４つのマーク部２１１によって形成される隙間の大きさよりも小さいことから、図１（ｆ）に示すように、背景色領域２１２のみを含むものとなっている。なお、本形態にて図示する偽造防止構造２１０は、説明を簡単にするために１００個のマーク部２１１が１０×１０のマトリックス状に形成されたものであるが、その数を多くすればするほど、この偽造防止構造２１０によって浮き上がらせることができる潜像となる文字を精細なものとすることができ、曲線等を表現しやすくなる。
【００１７】
以下に、上記のように構成された偽造防止シート１の製造方法について説明する。
【００１８】
まず、シート基材２０２の偽造防止構造２１０が設けられる領域、すなわち、白色の背景色領域２１２となる領域に、１００個のマーク部２１１を１０×１０のマトリックス状に黒色で印刷する。なお、このマーク部２１１の印刷は、上述したようなプレ印刷と同時に行ってもよいし、上述したプレ印刷を行った後に行ってもよい。
【００１９】
次に、マーク部２１１が印刷された領域に、シート基材２０２の平面部２０３側からエンボス版を押し付けることによって、大きさが互いに異なる凸部２１３，２１４を形成する。このエンボス版によって、凸部２１３は、マーク部２１１が印刷された領域のうち、潜像となる「Ｔ」を形成する所定領域にてマトリックス状に設けられた複数のマーク部２１１上に形成され、また、凸部２１４は、マトリックス状に設けられた複数のマーク部２１１のうち、所定領域以外の領域に設けられたマーク部２１１間に形成される。
【００２０】
上述したようにして偽造防止シート２０１が製造され、その後、用途に応じた情報がシート基材２０２の情報印刷領域２０４に印刷されて使用されることになる。
【００２１】
以下に、上述した偽造防止シート２０１の作用について説明する。
【００２２】
まず、図１に示した偽造防止シート２０１を正面、すなわち、シート基材２０２の平面部２０３の法線方向から観察した場合の作用について説明する。
【００２３】
図２は、図１に示した偽造防止シート２０１を正面から観察した場合の作用を説明するための図であり、偽造防止構造２１０の見え方を示す。
【００２４】
図１に示した偽造防止シート２０１を、正面、すなわち平面部２０３の法線方向から観察した場合、図２に示すように、偽造防止構造２１０においては、背景色領域２１２が白色であるのに対してこの背景色領域２１２にマトリックス状に設けられた複数のマーク部２１１が黒色であることから、マトリックス状の複数のマーク部２１１が認識される。この際、シート基材２０２には、複数の凸部２１３，２１４が形成されているが、偽造防止シート２０１を正面から観察した場合は、この凸部２１３，２１４の頂部側から底部側に向かって観察することになるため、凸部２１３，２１４が認識されにくく、複数のマーク部２１１がマトリックス状に認識されるだけとなり、潜像「Ｔ」は浮かび上がって見えてこない。
【００２５】
次に、図１に示した偽造防止シート２０１に対する観察方向を正面、すなわち、シート基材２０２の平面部２０３の法線方向から変化させていった場合の作用について説明する。
【００２６】
図３は、図１に示した偽造防止シート２０１に対する観察方向を正面から変化させていった場合の作用を説明するための図であり、（ａ）は偽造防止シート２０１に対する観察方向を図１中下側に変化させていった場合の偽造防止構造２１０の見え方を示す図、（ｂ）は偽造防止シート２０１に対する観察方向を図１中上側に変化させていった場合の偽造防止構造２１０の見え方を示す図、（ｃ）は偽造防止シート２０１に対する観察方向を図１中右側に変化させていった場合の偽造防止構造２１０の見え方を示す図、（ｄ）は偽造防止シート２０１に対する観察方向を図１中左側に変化させていった場合の偽造防止構造２１０の見え方を示す図である。
【００２７】
図１に示した偽造防止シート２０１に対する観察方向を正面から変化させていくと、シート基材２０２の平面部２０３に対する観察方向のなす角度が鋭角になっていく。すると、基材２０２に形成された凸部２１３，２１４を斜め上方から視認することになり、凸部２１３，２１４がそれぞれ認識可能となってくる。凸部２１３は、マーク部２１１のみを含むことから黒色であり、また、凸部２１４は、背景色領域２１２のみを含むことから白色であるため、この色の違いによって凸部２１３と凸部２１４とが識別可能となる。そして、凸部２１３は、その配列形状によって潜像「Ｔ」の字を表現するように形成されているため、例えば、偽造防止シート２０１に対する観察方向を、例えば図１中下側に変化させていくと、図３（ａ）に示すように、凸部２１３と凸部２１４との色の違いによって、複数の凸部２１４によって構成される白色の背景の中に、複数の凸部２１３によって構成される潜像「Ｔ」が黒色で浮かび上がって見えるようになる。この際、凸部２１３がマーク部２１１のみを含むことから黒色であり、また、凸部２１４が背景色領域２１２のみを含むことから白色であるため、凸部２１３と凸部２１４との色の違いが明確になり、潜像「Ｔ」の字が認識しやすくなる。
【００２８】
また、凸部２１３がマーク部２１１のみを含むことから黒色であり、また、凸部２１４が背景色領域２１２のみを含むことから白色であることから、平面部２０３に対して鋭角をなすどの方向から観察した場合であっても、複数の凸部２１４によって構成される白色の背景の中に、複数の凸部２１３によって構成される潜像「Ｔ」が黒色で浮かび上がって見えるようになる。例えば、偽造防止シート２０１に対する観察方向を図１中上側に変化させていくと、複数の凸部２１３によって構成される潜像「Ｔ」が図３（ｂ）に示すように浮かび上がって見えるようになり、また、偽造防止シート２０１に対する観察方向を図１中右側に変化させていくと、複数の凸部２１３によって構成される潜像「Ｔ」が図３（ｃ）に示すように浮かび上がって見えるようになり、また、偽造防止シート２０１に対する観察方向を図１中左側に変化させていくと、複数の凸部２１３によって構成される潜像「Ｔ」が図３（ｄ）に示すように浮かび上がって見えるようになる。
【００２９】
上述した偽造防止シート２０１は、複写した場合、シート基材２０２の情報印刷領域２０４に印刷された情報や、シート基材２０２に印刷によりマトリックス状に設けられたマーク部２１１は複写されるものの、凸部２１３，２１４までは再現できない。そのため、複写物の観察方向を変えていった場合であっても、複数の凸部２１３による潜像は浮かび上がらず、それにより、真偽判別を行うことが可能となる。このように真偽判別を行う際、本形態の偽造防止シート２０１においては、偽造防止シート２０１に対する観察方向をシート基材２０２の平面部２０３の法線方向からどの方向に変化させていった場合であっても、複数の凸部２１３による潜像が浮かび上がって見えるため、観察方向に制限されることなく潜像による真偽判別を容易に行うことができる。また、凸部２１３，２１４が、シート基材２０２の平面部２０３を窪ませることによって形成されているため、シート基材２０２を表裏から見た場合や、直接触れた場合において、凸部２１３，２１４が認識されにくく、凸部２１３，２１４が再現しにくいものとなり、偽造防止機能を向上させることができる。
【００３０】
（第２の実施の形態）
図４は、本発明の偽造防止媒体の第２の実施の形態となる偽造防止シートを示す図であり、（ａ）は全体の構成を示す図、（ｂ）は（ａ）に示した偽造防止構造１０の詳細な構成を示す図、（ｃ）は（ｂ）に示したＡ−Ａ’断面図、（ｄ）は（ｂ）に示したＢ−Ｂ’断面図、（ｅ）は凸部１３の構成を示す図、（ｆ）は凸部１４の構成を示す図である。
【００３１】
本形態の偽造防止シート１は図４に示すように、紙からなるシート基材２の一部の領域に偽造防止構造１０が設けられて構成されている。シート基材２は、基材表面となる平面部３を有し、この平面部３の一部の領域に情報印刷領域４が設けられるとともに、他の領域に偽造防止構造１０が設けられている。
【００３２】
図４（ｂ）に示すように、シート基材２に設けられた偽造防止構造１０には、シート基材２の平面部３のベース色と同一の白色からなる背景色領域１２上に、背景色領域１２とは異なる黒色からなるマーク配色領域である複数のマーク部１１が設けられている。この複数のマーク部１１は、背景色領域１２上に行及び列を構成して設けられることによりマトリックス状となっている。
【００３３】
複数のマーク部１１がマトリックス状に設けられた領域には、第１の凸部となる複数の凸部１３と、第２の凸部となる複数の凸部１４とが形成されている。これら凸部１３，１４は図４（ｃ）〜（ｆ）に示すように、シート基材２をエンボス版等で平面部３側から０．０５〜０．１ｍｍ程度窪ませることにより形成されたドーム型であって、その高さは互いに同一であるものの、ドームの径は凸部１３の径が凸部１４の径よりも小さくなっている。
【００３４】
凸部１３は、複数の凸部１３の配列形状によって潜像となる「Ｔ」の字を表現するように複数のマーク部１１の配列方向と並行して行や列を構成して背景色領域１２の所定領域に形成されており、そのそれぞれは、マトリックス状に設けられた４つのマーク部１１間に形成されている。そして、その径が４つのマーク部１１によって形成される隙間の大きさよりも小さいことから、図４（ｅ）に示すように、背景色領域１２のみを含むものとなっている。凸部１４は、背景色領域１２にて複数の凸部１３が形成された領域を取り囲むように、複数のマーク部１１の配列方向と並行して行や列を構成して形成されており、そのそれぞれは、マトリックス状に設けられた複数のマーク部１１のうち、所定領域以外の領域に設けられたマーク部１１上に形成されている。そして、その径がマーク部１１の径よりも小さいことから、図４（ｆ）に示すように、マーク部１１のみを含むものとなっている。
【００３５】
上記のように構成された偽造防止シート１は、第１の実施の形態に示したものと同様に製造され、その後、用途に応じた情報がシート基材２の情報印刷領域４に印刷されて使用されることになる。
【００３６】
以下に、上述した偽造防止シート１の作用について説明する。
【００３７】
まず、図４に示した偽造防止シート１を正面、すなわち、シート基材２の平面部３の法線方向から観察した場合の作用について説明する。
【００３８】
図５は、図４に示した偽造防止シート１を正面から観察した場合の作用を説明するための図であり、偽造防止構造１０の見え方を示す。
【００３９】
図４に示した偽造防止シート１を、正面、すなわち平面部３の法線方向から観察した場合、図５に示すように、偽造防止構造１０においては、背景色領域１２が白色であるのに対してこの背景色領域１２にマトリックス状に設けられた複数のマーク部１１が黒色であることから、マトリックス状の複数のマーク部１１が認識される。この際、シート基材２には、複数の凸部１３，１４が形成されているが、偽造防止シート１を正面から観察した場合は、この凸部１３，１４の頂部側から底部側に向かって観察することになるため、凸部１３，１４が認識されにくく、複数のマーク部１１がマトリックス状に認識されるだけとなり、潜像「Ｔ」は浮かび上がって見えてこない。
【００４０】
次に、図４に示した偽造防止シート１に対する観察方向を正面、すなわち、シート基材２の平面部３の法線方向から変化させていった場合の作用について説明する。
【００４１】
図６は、図４に示した偽造防止シート１に対する観察方向を正面から変化させていった場合の作用を説明するための図であり、（ａ）は偽造防止シート１に対する観察方向を図４中下側に変化させていった場合の偽造防止構造１０の見え方を示す図、（ｂ）は偽造防止シート１に対する観察方向を図４中上側に変化させていった場合の偽造防止構造１０の見え方を示す図、（ｃ）は偽造防止シート１に対する観察方向を図４中右側に変化させていった場合の偽造防止構造１０の見え方を示す図、（ｄ）は偽造防止シート１に対する観察方向を図４中左側に変化させていった場合の偽造防止構造１０の見え方を示す図である。
【００４２】
図４に示した偽造防止シート１に対する観察方向を正面から変化させていくと、シート基材２の平面部３に対する観察方向のなす角度が鋭角になっていく。すると、基材２に形成された凸部１３，１４を斜め上方から視認することになり、凸部１３，１４がそれぞれ認識可能となってくる。凸部１３は、背景色領域１２のみを含むことから白色であり、また、凸部１４は、マーク部１１のみを含むことから黒色であるため、この色の違いによって凸部１３と凸部１４とが識別可能となる。そして、凸部１３は、その配列形状によって潜像「Ｔ」の字を表現するように形成されているため、例えば、偽造防止シート１に対する観察方向を、例えば図４中下側に変化させていくと、図６（ａ）に示すように、凸部１３と凸部１４との色の違いによって、複数の凸部１４によって構成される黒色の背景の中に、複数の凸部１３によって構成される潜像「Ｔ」が白色で浮かび上がって見えるようになる。この際、凸部１３が背景色領域１２のみを含むことから白色であり、また、凸部１４がマーク部１１のみを含むことから黒色であるため、凸部１３と凸部１４との色の違いが明確になり、潜像「Ｔ」の字が認識しやすくなる。
【００４３】
また、凸部１３が背景色領域１２のみを含むことから白色であり、また、凸部１４がマーク部１１のみを含むことから黒色であることから、平面部３に対して鋭角をなすどの方向から観察した場合であっても、複数の凸部１４によって構成される黒色の背景の中に、複数の凸部１３によって構成される潜像「Ｔ」が白色で浮かび上がって見えるようになる。例えば、偽造防止シート１に対する観察方向を図４中上側に変化させていくと、複数の凸部１３によって構成される潜像「Ｔ」が図６（ｂ）に示すように浮かび上がって見えるようになり、また、偽造防止シート１に対する観察方向を図４中右側に変化させていくと、複数の凸部１３によって構成される潜像「Ｔ」が図６（ｃ）に示すように浮かび上がって見えるようになり、また、偽造防止シート１に対する観察方向を図４中左側に変化させていくと、複数の凸部１３によって構成される潜像「Ｔ」が図６（ｄ）に示すように浮かび上がって見えるようになる。
【００４４】
上述した偽造防止シート１は、複写した場合、シート基材２の情報印刷領域４に印刷された情報や、シート基材２に印刷によりマトリックス状に設けられたマーク部１１は複写されるものの、凸部１３，１４までは再現できない。そのため、複写物の観察方向を変えていった場合であっても、複数の凸部１３による潜像は浮かび上がらず、それにより、真偽判別を行うことが可能となる。このように真偽判別を行う際、本形態の偽造防止シート１においては、偽造防止シート１に対する観察方向をシート基材２の平面部３の法線方向からどの方向に変化させていった場合であっても、複数の凸部１３による潜像が浮かび上がって見えるため、観察方向に制限されることなく潜像による真偽判別を容易に行うことができる。
【００４５】
（第３の実施の形態）
図７は、本発明の偽造防止媒体の第３の実施の形態となる偽造防止シートを示す図であり、（ａ）は全体の構成を示す図、（ｂ）は（ａ）に示した偽造防止構造１１０の詳細な構成を示す図、（ｃ）は（ｂ）に示したＡ−Ａ’断面図、（ｄ）は（ｂ）に示したＢ−Ｂ’断面図、（ｅ）は凸部１１３の構成を示す図、（ｆ）は凸部１１４の構成を示す図である。
【００４６】
本形態の偽造防止シート１０１は図７に示すように、紙からなるシート基材１０２の一部の領域に偽造防止構造１１０が設けられて構成されている。シート基材１０２は、基材表面となる平面部１０３を有し、この平面部１０３の一部の領域に情報印刷領域１０４が設けられるとともに、他の領域に偽造防止構造１１０が設けられている。
【００４７】
図７（ｂ）に示すように、シート基材１０２に設けられた偽造防止構造１１０には、シート基材１０２の平面部１０３のベース色と同一の白色からなる背景色領域１１２上に、背景色領域１１２とは異なる黒色からなるマーク配色領域である複数のマーク部１１１が設けられている。この複数のマーク部１１１は、背景色領域１１２上に行及び列を構成して設けられることによりマトリックス状となっている。
【００４８】
複数のマーク部１１１がマトリックス状に設けられた領域には、第１の凸部となる複数の凸部１１３と、第２の凸部となる複数の凸部１１４とが形成されている。これら凸部１１３，１１４は図７（ｃ）〜（ｆ）に示すように、円錐から頂点の部分が取り除かれた同一形状であって、シート基材１０２をエンボス版等で平面部１０３側から０．０５〜０．１ｍｍ程度窪ませることにより側面１１３ａ，１１４ａが形成され、平面部１０３との同一面が頂部１１３ｂ，１１４ｂとなっている。そして、この頂部１１３ｂ，１１４ｂからシート基材１０２の窪み方向に向かうに従ってその断面積が徐々に広くなり、凸部１１３，１１４の底部においては、直径が０．５ｍｍ以下の円形状となっている。
【００４９】
凸部１１３は、複数の凸部１１３の配列形状によって潜像となる「Ｔ」の字を表現するように複数のマーク部１１１の配列方向と並行して行や列を構成して背景色領域１１２の所定領域に形成されており、そのそれぞれは、マトリックス状に設けられた４つのマーク部１１１間に形成されている。そして、その頂部１１３ｂ及び底部の径が４つのマーク部１１１によって形成される隙間の大きさよりも大きいことから、図７（ｅ）に示すように、４つのマーク部１１１の一部がそれぞれ側面１１３ａ及び頂部１１３ｂにかかるとともに、その４つのマーク部１１１に囲まれた部分の背景色領域１１２の白色が頂部１１３ｂにて表出している。凸部１１４は、背景色領域１１２にて複数の凸部１１３が形成された領域を取り囲むように、複数のマーク部１１１の配列方向と並行して行や列を構成して形成されており、そのそれぞれは、マトリックス状に設けられた複数のマーク部１１１のうち、所定領域以外の領域に設けられたマーク部１１１上に形成されている。そして、その頂部１１４ｂ及び底部の径がマーク部１１１の径よりも小さいことから、図７（ｆ）に示すように、頂部１１４ｂ及び側面１１４ａがマーク部１１１を含むようなものとなっている。
【００５０】
上記のように構成された偽造防止シート１０１は、第１の実施の形態に示したものと同様に製造され、その後、用途に応じた情報がシート基材１０２の情報印刷領域１０４に印刷されて使用されることになる。
【００５１】
以下に、上述した偽造防止シート１０１の作用について説明する。
【００５２】
まず、図７に示した偽造防止シート１０１を正面、すなわち、シート基材１０２の平面部１０３の法線方向から観察した場合の作用について説明する。
【００５３】
図８は、図７に示した偽造防止シート１０１を正面から観察した場合の作用を説明するための図であり、偽造防止構造１１０の見え方を示す。
【００５４】
図７に示した偽造防止シート１０１を、正面、すなわち平面部１０３の法線方向から観察した場合、図８に示すように、偽造防止構造１１０においては、背景色領域１１２が白色であるのに対してこの背景色領域１１２にマトリックス状に設けられた複数のマーク部１１１が黒色であることから、マトリックス状の複数のマーク部１１１が認識される。この際、シート基材１０２には、複数の凸部１１３，１１４が形成されているが、偽造防止シート１０１を正面から観察した場合は、この凸部１１３，１１４の頂部側から底部側に向かって観察することになるため、凸部１１３，１１４が認識されにくく、複数のマーク部１１１がマトリックス状に認識されるだけとなり、潜像「Ｔ」は浮かび上がって見えてこない。
【００５５】
次に、図７に示した偽造防止シート１０１に対する観察方向を正面、すなわち、シート基材１０２の平面部１０３の法線方向から変化させていった場合の作用について説明する。
【００５６】
図９は、図７に示した偽造防止シート１０１に対する観察方向を正面から変化させていった場合の作用を説明するための図であり、（ａ）は偽造防止シート１０１に対する観察方向を図７中下側に変化させていった場合の偽造防止構造１１０の見え方を示す図、（ｂ）は偽造防止シート１０１に対する観察方向を図７中上側に変化させていった場合の偽造防止構造１１０の見え方を示す図、（ｃ）は偽造防止シート１０１に対する観察方向を図７中右側に変化させていった場合の偽造防止構造１１０の見え方を示す図、（ｄ）は偽造防止シート１０１に対する観察方向を図７中左側に変化させていった場合の偽造防止構造１１０の見え方を示す図である。
【００５７】
図７に示した偽造防止シート１０１に対する観察方向を正面から変化させていくと、シート基材１０２の平面部１０３に対する観察方向のなす角度が鋭角になっていく。すると、基材１０２に形成された凸部１１３，１１４を斜め上方から視認することになり、凸部１１３，１１４がそれぞれ認識可能となってくる。凸部１１３は、背景色領域１１２とマーク部１１１とを含むことから灰色に見え、また、凸部１１４は、マーク部１１１のみを含むことから黒色であるため、この色の違いによって凸部１１３と凸部１１４とが識別可能となる。またこの際、複数の凸部１１３，１１４の側面１１３ａ，１１４ａが、その凸部１１３，１１４の観察方向側に隣接する凸部１１３，１１４によって隠れて見えなくなっていき、頂部１１３ｂ，１１４ｂのみが見えるような状態となるが、凸部１１３においては、図７（ｅ）に示したように、背景色領域１１２の白色が頂部１１３ｂにて表出しているため、黒色の凸部１１４とは見える色が異なり、この色の違いによって凸部１１３と凸部１１４とが識別しやすくなる。そして、凸部１１３は、その配列形状によって潜像「Ｔ」の字を表現するように形成されているため、例えば、偽造防止シート１０１に対する観察方向を、例えば図７中下側に変化させていくと、図９（ａ）に示すように、凸部１１３と凸部１１４との色の違いによって、複数の凸部１１４によって構成される黒色の背景の中に、複数の凸部１１３によって構成される潜像「Ｔ」が灰色で浮かび上がって見えるようになる。この際、凸部１１４がマーク部１１１のみを含むことから黒色であるため、凸部１１３と凸部１１４との色の違いが明確になり、潜像「Ｔ」の字が認識しやすくなる。
【００５８】
また、凸部１１３が背景色領域１１２とマーク部１１１を含むことから灰色に見え、また、凸部１１４がマーク部１１１のみを含むことから黒色であることから、平面部１０３に対して鋭角をなすどの方向から観察した場合であっても、複数の凸部１１４によって構成される黒色の背景の中に、複数の凸部１１３によって構成される潜像「Ｔ」が灰色で浮かび上がって見えるようになる。例えば、偽造防止シート１０１に対する観察方向を図７中上側に変化させていくと、複数の凸部１１３によって構成される潜像「Ｔ」が図９（ｂ）に示すように浮かび上がって見えるようになり、また、偽造防止シート１０１に対する観察方向を図７中右側に変化させていくと、複数の凸部１１３によって構成される潜像「Ｔ」が図９（ｃ）に示すように浮かび上がって見えるようになり、また、偽造防止シート１０１に対する観察方向を図７中左側に変化させていくと、複数の凸部１１３によって構成される潜像「Ｔ」が図９（ｄ）に示すように浮かび上がって見えるようになる。
【００５９】
上述した偽造防止シート１０１は、複写した場合、シート基材１０２の情報印刷領域１０４に印刷された情報や、シート基材１０２に印刷によりマトリックス状に設けられたマーク部１１１は複写されるものの、凸部１１３，１１４までは再現できない。そのため、複写物の観察方向を変えていった場合であっても、複数の凸部１１３による潜像は浮かび上がらず、それにより、真偽判別を行うことが可能となる。このように真偽判別を行う際、本形態の偽造防止シート１０１においては、偽造防止シート１０１に対する観察方向をシート基材１０２の平面部１０３の法線方向からどの方向に変化させていった場合であっても、複数の凸部１１３による潜像が浮かび上がって見えるため、観察方向に制限されることなく潜像による真偽判別を容易に行うことができる。
【００６０】
なお、上述した実施の形態における凸部１３，１４，１１３，１１４，２１３，２１４の高さや底部の寸法については、上述したものに限らず、適宜設定が可能である。
【００６１】
また、凸部１３，１４，１１３，１１４，２１３，２１４の形状においては、第１及び第２の実施の形態にて示したドーム型のものや、第３の実施の形態にて示した円錐から頂点の部分が取り除かれた形状のものの他に、円柱形のものや円錐形のものとすることも考えられる。また、断面が矩形状となるものとすることも考えられる。ただし、図１、図４及び図７に示したものにおいては、凸部１３，１４，１１３，１１４，２１３，２１４のうち、少なくとも潜像を表現する凸部１３，１１３，２１３を、平面部３，１０３，２０３と平行な断面が円形状のように中心からの距離が略一定となるものとした方が、どの方向から観察しても、凸部１３，１１３，２１３によって浮かび上がる潜像の精細な形状を均一化することができる。
【００６２】
また、潜像となる情報は、上述した「Ｔ」のように複数の凸部１３，１１３，２１３が行及び列を構成したものに限らず、複数の凸部１３，１１３，２１３が行のみを構成しただけ、あるいは列のみを構成しただけのものであってもよい。また、一文字からなるものに限らず、複数の文字からなるものや模様等であってもよい。また、潜像を表現する複数の凸部１３，１１３，２１３を複数の領域に分割し、その複数の領域毎に文字等が浮かび上がる構成とすることも考えられる。また、複数の凸部１４，１１４，２１４が、背景色領域１２，１１２，２１２にて複数の凸部１３，１１３，２１３が形成された領域を完全に取り囲むのではなく、一部が開放されるようにして、複数の凸部１４，１１４，２１４が、複数の凸部１３，１１３，２１３が形成された領域を囲むような形状であってもよい。
【００６３】
また、背景色領域１２，１１２，２１２の色とマーク部１１，１１１，２１１の色は、上述した実施の形態においては、背景色領域１２，１１２，２１２を白色とし、マーク部１１，１１１，２１１を黒色としたが、背景色領域１２，１１２，２１２を黒色とし、マーク部１１，１１１，２１１を白色としてもよく、また、互いに異なる色であれば、白色や黒色に限らない。
【００６４】
また、上述した実施の形態においては、複数の凸部１３，１１３，２１３によって潜像「Ｔ」を表現しているが、複数の凸部１４，１１４，２１４の配列形状によって潜像「Ｔ」を表現してもよい。その場合は、偽造防止シート１，１０１，２０１に対する観察方向を正面から変化させていくと、複数の凸部１４，１１４，２１４による色で潜像「Ｔ」が浮かび上がって見えるようになる。
【００６５】
また、上述した第１の実施の形態においては、凸部２１３がマーク部２１１のみを含み、凸部２１４が背景色領域２１２のみを含み、また、第２の実施の形態においては、凸部１３が背景色領域１２のみを含み、凸部１４がマーク部１１のみを含んでおり、また、第３の実施の形態においては、凸部１１３が背景色領域１１２とマーク部１１１とを含み、凸部１１４がマーク部１１１のみを含んだ構成としているが、第１の凸部と第２の凸部のうち少なくともいずれか一方の凸部が、背景色領域とマーク部のいずれか一方のみを含み、かつ、第１の凸部と第２の凸部のうち他方の凸部が、一方の凸部が含む領域とは異なる領域を含むような構成であればよい。
【００６６】
また、上述した実施の形態においては、偽造防止媒体として、紙からなるシート基材２，１０２，２０２に偽造防止構造１０，１１０，２１０が設けられた偽造防止シート１，１０１，２０１を例に挙げて説明したが、本発明はこのような偽造防止シート１，１０１，２０１に限らず、フィルムからなるシート基材や複数の樹脂層が積層されてなるカード基材に上述したような偽造防止構造１０，１１０，２１０を設けたものにも適用することが可能である。
【００６７】
また、本発明の偽造防止媒体は、その製造工程において、第１の凸部と第２の凸部のうち、背景色領域とマーク部のいずれか一方のみを含む凸部が、多少ずれて背景色領域とマーク部の他方の領域を含むようになる場合があるが、本発明の、基材表面に設けられた背景色領域と、背景色領域とは異なる色を具備し、背景色領域上に行及び／または列を構成して設けられた複数のマーク配色領域と、背景色領域の所定領域にて複数のマーク配色領域の配列方向と並行して行及び／または列を構成して形成された複数の第１の凸部と、背景色領域における所定領域以外の領域にて複数のマーク配色領域の配列方向と並行して行及び／または列を構成して形成された複数の第２の凸部とを有し、第１の凸部と第２の凸部のうち少なくともいずれか一方の凸部が、背景色領域とマーク配色領域のいずれか一方のみを含み、かつ、第１の凸部と第２の凸部のうち他方の凸部が、一方の凸部が含む領域とは異なる領域を含む偽造防止媒体とは、そのような偽造防止媒体も含むものであって、その場合であっても、第１の凸部と第２の凸部との識別が多少しにくくなるものの、偽造防止シートに対する観察方向を正面、すなわち、シート基材の平面部の法線方向から変化させていくと、第１の凸部と第２の凸部とが識別され、上述したものと同様に、第１の凸部や第２の凸部による潜像を浮かび上がらせることができる。
【図面の簡単な説明】
【００６８】
【図１】本発明の偽造防止媒体の第１の実施の形態となる偽造防止シートを示す図であり、（ａ）は全体の構成を示す図、（ｂ）は（ａ）に示した偽造防止構造の詳細な構成を示す図、（ｃ）は（ｂ）に示したＡ−Ａ’断面図、（ｄ）は（ｂ）に示したＢ−Ｂ’断面図、（ｅ）は第１の凸部の構成を示す図、（ｆ）は第２の凸部の構成を示す図である。
【図２】図１に示した偽造防止シートを正面から観察した場合の作用を説明するための図である。
【図３】図１に示した偽造防止シートに対する観察方向を正面から変化させていった場合の作用を説明するための図であり、（ａ）は偽造防止シートに対する観察方向を図１中下側に変化させていった場合の偽造防止構造の見え方を示す図、（ｂ）は偽造防止シートに対する観察方向を図１中上側に変化させていった場合の偽造防止構造の見え方を示す図、（ｃ）は偽造防止シートに対する観察方向を図１中右側に変化させていった場合の偽造防止構造の見え方を示す図、（ｄ）は偽造防止シートに対する観察方向を図１中左側に変化させていった場合の偽造防止構造の見え方を示す図である。
【図４】本発明の偽造防止媒体の第２の実施の形態となる偽造防止シートを示す図であり、（ａ）は全体の構成を示す図、（ｂ）は（ａ）に示した偽造防止構造の詳細な構成を示す図、（ｃ）は（ｂ）に示したＡ−Ａ’断面図、（ｄ）は（ｂ）に示したＢ−Ｂ’断面図、（ｅ）は第１の凸部の構成を示す図、（ｆ）は第２の凸部の構成を示す図である。
【図５】図４に示した偽造防止シートを正面から観察した場合の作用を説明するための図である。
【図６】図４に示した偽造防止シートに対する観察方向を正面から変化させていった場合の作用を説明するための図であり、（ａ）は偽造防止シートに対する観察方向を図４中下側に変化させていった場合の偽造防止構造の見え方を示す図、（ｂ）は偽造防止シートに対する観察方向を図４中上側に変化させていった場合の偽造防止構造の見え方を示す図、（ｃ）は偽造防止シートに対する観察方向を図４中右側に変化させていった場合の偽造防止構造の見え方を示す図、（ｄ）は偽造防止シートに対する観察方向を図４中左側に変化させていった場合の偽造防止構造の見え方を示す図である。
【図７】本発明の偽造防止媒体の第３の実施の形態となる偽造防止シートを示す図であり、（ａ）は全体の構成を示す図、（ｂ）は（ａ）に示した偽造防止構造の詳細な構成を示す図、（ｃ）は（ｂ）に示したＡ−Ａ’断面図、（ｄ）は（ｂ）に示したＢ−Ｂ’断面図、（ｅ）は第１の凸部の構成を示す図、（ｆ）は第２の凸部の構成を示す図である。
【図８】図７に示した偽造防止シートを正面から観察した場合の作用を説明するための図である。
【図９】図７に示した偽造防止シートに対する観察方向を正面から変化させていった場合の作用を説明するための図であり、（ａ）は偽造防止シートに対する観察方向を図７中下側に変化させていった場合の偽造防止構造の見え方を示す図、（ｂ）は偽造防止シートに対する観察方向を図７中上側に変化させていった場合の偽造防止構造の見え方を示す図、（ｃ）は偽造防止シートに対する観察方向を図７中右側に変化させていった場合の偽造防止構造の見え方を示す図、（ｄ）は偽造防止シートに対する観察方向を図７中左側に変化させていった場合の偽造防止構造の見え方を示す図である。
【符号の説明】
【００６９】
１，１０１，２０１    偽造防止シート
２，１０２，２０２    シート基材
３，１０３，２０３    平面部
４，１０４，２０４    情報印刷領域
１０，１１０，２１０    偽造防止構造
１１，１１１，２１１    マーク部
１２，１１２，２１２    背景色領域
１３，１４，１１３，１１４，２１３，２１４    凸部
１１３ａ，１１４ａ    側面
１１３ｂ，１１４ｂ    頂部
【図１】
2008194835.tif 000003
【図２】
2008194835.tif 000004
【図３】
2008194835.tif 000005
【図４】
2008194835.tif 000006
【図５】
2008194835.tif 000007
【図６】
2008194835.tif 000008
【図７】
2008194835.tif 000009
【図８】
2008194835.tif 000010
【図９】
2008194835.tif 000011